(57)【要約】【課題】  狭ピッチ光ファイバテープを光接続部品に接続する場合にも適用可能な光ファイバ位置決め方法及び光接続部品を得る。【解決手段】  光接続部品１を接続器本体３と蓋部材５とで構成し、接続器本体３は光ファイバ７を案内し光ファイバを幅方向に位置規制する溝を有するガイド部１１と、このガイド部１１と繋がり光ファイバ７の先端を挿入するファイバ孔１３とを備え、前記蓋部材５は、前記接続器本体３の溝１７の上方から嵌合装着されて前記光ファイバ７を前記溝１７に向けて押圧すると共に該溝１７に沿って移動可能になされる。【選択図】    図７
2006163210.tif 000002
【特許請求の範囲】
【請求項１】
光ファイバを案内し光ファイバを幅方向に位置規制する溝を有するガイド部と、光ファイバの先端を挿入するファイバ孔とを有する光接続部品に対し、少なくとも光ファイバを、前記溝の上方に配置すると共に、前記光接続部品に蓋部材によって押圧して前記溝内に嵌め合わせる工程と、前記蓋部材と共に前記光ファイバを前記溝に沿って移動して前記ガイド部より前記ファイバ孔に挿入する工程と、前記光ファイバの先端が前記ファイバ孔に挿入された時点で前記蓋部材を前記光接続部品に係止する工程と、を行うことを特徴とする光ファイバ位置決め方法。
【請求項２】
光ファイバを案内し光ファイバを幅方向に位置規制する溝を有するガイド部と、光ファイバの先端を挿入するファイバ孔とを具備した接続器本体と、
前記接続器本体の溝の上方から嵌合装着されて前記光ファイバを前記溝に向けて押圧すると共に該溝に沿って移動可能にされた蓋部材と、
を具備したことを特徴とする光接続部品。
【請求項３】
前記接続器本体の溝は、その両側に、規定本数の光ファイバを所定ピッチで溝の底面中央に整列させる案内斜面が設けられ、且つ、前記蓋部材の両側には、前記溝の底面に光ファイバを押し付けた時に前記案内斜面に接触する傾斜面が設けられたことを特徴とする請求項２に記載の光接続部品。
【請求項４】
前記蓋部材を前記溝に装着したとき、前記溝の前端部と前記蓋部材の前端部との間に、開放部を有することを特徴とする請求項２又は３に記載の光接続部品。
【請求項５】
前記光接続部品を構成する接続器本体及び蓋部材を、エポキシ樹脂又はポリフェニレンサルファイド樹脂の射出成形で形成したことを特徴とする請求項２乃至４のいずれか一項に記載の光接続部品。
【請求項６】
収容する光ファイバの位置決め保持部に、請求項２乃至５に記載の光接続部品を使用したことを特徴とする光コネクタ。
【発明の詳細な説明】
【技術分野】
【０００１】
本発明は、光ファイバ相互を突き合わせ接続する際に、光ファイバを所定位置に位置決めする光ファイバ位置決め方法と、該位置決め方法を使う光接続部品に関するもので、特に、多数の光ファイバを狭ピッチで整列させて高密度化を実現するための改良に関する。
【背景技術】
【０００２】
光ファイバを多心光コネクタフェルール等の光接続部品に収容し保持する際の光ファイバ位置決め方法として、特許文献１に記載されている多心光ファイバ挿入装置は、１方向に移動自在に設けた光ファイバテープ把持部の移動方向前方にガイド部及び多心光コネクタフェルールを直線状に順次配列する一方、ガイド部が多心光コネクタフェルールに向かって縮径する形状のテーパ孔を備えた構成とされ、同装置により、光ファイバテープ把持部が把持して移動する光ファイバテープをガイド部で位置規制して、光コネクタフェルールに挿入する方法が提案されている。
なお、多心光コネクタフェルール自体の、光ファイバを挿入案内するガイド孔と光ファイバの先端を収容するファイバ孔との境界部分に、上記のガイド部に相当するテーパ部を形成することによって、ガイド部で位置規制された光ファイバの、ファイバ孔への挿入性向上を上記のテーパ部により図ったものは周知である（例えば、特許文献２参照）。
【０００３】
ところで、ブロードバンド加入者の増加と共に、映像伝送サービスやＩＰ電話などの普及に伴い、情報通信トラフィックの大容量化要求が益々高まっている。このような要求に対応するため、多心光ファイバテープを接続する光接続部品の分野では、光ファイバの配列ピッチを縮めることで高密度化を可能にした、所謂狭ピッチ光ファイバテープが適用されようとしている。
【０００４】
【特許文献１】特開平６−３４８４８号公報
【特許文献２】特開２００１−３２４５６０号公報
【発明の開示】
【発明が解決しようとする課題】
【０００５】
光ファイバを光接続部品に取り付ける際に、上記特許文献１に記載の装置は、機構が大型化し、現場へ携帯して使用することが難しいという問題があった。
また、特許文献２に記載のように、多心光コネクタフェルール自体にテーパ部を形成した構造では、上記した狭ピッチ光ファイバテープを適用する場合において、ファイバ孔より大径のガイド孔を形成して光ファイバの位置規制を図ることが、レイアウト上から隣接するファイバ孔との競合によってできないという問題があった。
【０００６】
本発明は、簡単な構成で正確に位置決めでき、しかも、狭ピッチ光ファイバテープを光接続部品に接続する場合にも適用できる光ファイバ位置決め方法及び光接続部品及び光コネクタを提供することを目的とする。
【課題を解決するための手段】
【０００７】
上記目的を達成するために、本発明に係る請求項１記載の光ファイバ位置決め方法は、光ファイバを案内し光ファイバを幅方向に位置規制する溝を有するガイド部と、光ファイバの先端を挿入するファイバ孔とを有する光接続部品に対し、少なくとも光ファイバを、前記溝の上方に配置すると共に、前記光接続部品に蓋部材によって押圧して前記溝内に嵌め合わせる工程と、前記蓋部材と共に前記光ファイバを前記溝に沿って移動して前記ガイド部より前記ファイバ孔に挿入する工程と、前記光ファイバの先端が前記ファイバ孔に挿入された時点で前記蓋部材を前記光接続部品に係止する工程と、を行うことを特徴とする。
【０００８】
本発明に係る請求項２記載の光接続部品は、請求項１に記載の光ファイバ位置決め方法により光ファイバの接続を行うもので、光ファイバを案内し光ファイバを幅方向に位置規制する溝を有するガイド部と、光ファイバの先端を挿入するファイバ孔とを具備した接続器本体と、前記接続器本体の溝の上方から嵌合装着されて前記光ファイバを前記溝に向けて押圧すると共に該溝に沿って移動可能にされた蓋部材と、を具備したことを特徴とする。
【０００９】
本発明に係る請求項３記載の光接続部品は、請求項２に記載の光接続部品において、前記接続器本体の前記溝は、その両側に、規定本数の光ファイバを所定ピッチで溝の底面中央に整列させる案内斜面が設けられ、且つ、前記蓋部材の両側には、前記溝の底面に光ファイバを押し付けた時に前記案内斜面に接触する傾斜面が設けられたことを特徴とする。
【００１０】
本発明に係る請求項４記載の光接続部品は、請求項２又は３に記載の光接続部品において、前記蓋部材を前記溝に装着したとき、前記溝の前端部と前記蓋部材の前端部との間に、開放部を有することを特徴とする。
【００１１】
本発明に係る請求項５記載の光接続部品は、請求項２乃至４のいずれか一項に記載の光接続部品において、前記光接続部品を構成する接続器本体及び蓋部材を、エポキシ樹脂又はポリフェニレンサルファイド樹脂の射出成形で形成したことを特徴とする。
【００１２】
本発明に係る請求項６記載の光コネクタは、収容する光ファイバの位置決め保持部に、請求項２乃至５に記載の光接続部品を使用したことを特徴とする。
【発明の効果】
【００１３】
本発明の請求項１記載の光ファイバ位置決め方法は、請求項２に記載の光接続部品を使用することによって実施できる。
そして、請求項１の光ファイバ位置決め方法により多心の光ファイバを位置決めする請求項２に記載の光接続部品では、接続器本体のガイド部に多心の光ファイバを挿入した後、ガイド部の途中に装備した溝に蓋部材を装着することによって、挿入した多心の光ファイバを溝の底面に一列に所定の配列ピッチで整列させることができ、蓋部材と共に光ファイバを前方のファイバ孔に送ることによって、各光ファイバをファイバ孔に挿入して位置決めした状態にすることができる。
即ち、光接続部品が、接続器本体と蓋部材との２部品によって構成される簡単な構成でありながら、多心の光ファイバを正確に位置決めでき、光接続部品がコンパクトなため、現場等での光ファイバの位置決め等にも有用である。
【００１４】
また、複数のファイバ孔を、孔相互が略外接状態に連続する形態に形成しておくことで、複数本の光ファイバを狭ピッチで高密度に位置決めすることができるため、狭ピッチ光ファイバテープを光接続部品に接続する場合にも適用できる。
そして、ファイバ孔の内径を光ファイバの被覆径に相応して設定しておけば、光ファイバを被覆付きのまま装着することができる。この場合には、鋭利なファイバエッジが被覆で覆われているため、光ファイバ挿入の際に、ファイバ孔の内面がファイバエッジによって削られて削りカスを発生することが防止でき、削りカスが光ファイバのコアに付着して伝送ロスの増大を招くことを防止することができる。
また、光ファイバを被覆付きのまま位置決めする場合には、光ファイバ相互の接続処理をする作業者が、光ファイバ先端のファイバエッジで手指等を負傷する虞がなくなり、作業の安全性も向上する。
【００１５】
また、ファイバ孔の配列ピッチを、例えば、従来の配列ピッチの２分の１の狭ピッチに配列すれば、１個おきの配列ピッチが従来の光コネクタフェルール等における配列ピッチと同等になり、従来のコネクタとの互換性を保つこともできる。
【００１６】
本発明の請求項３記載の光接続部品によれば、溝に導入された複数本の光ファイバは、その上から溝に嵌合装着される蓋部材によって、溝の底面に押さえ付けられると同時に、溝の両側に装備された案内斜面によって底部の中央の一定幅内に案内されて、速やかに整列されることができ、作業性が向上する。
【００１７】
本発明の請求項４記載の光接続部品によれば、接続器本体の溝に導入された光ファイバは、その上方を覆う蓋部材によって完全に覆われることがなく、溝への光ファイバの導入状態を視認できる開放部を有することから、目視によって確認しながら光ファイバの挿入作業を実施でき、光ファイバの溝への挿入作業が確実、かつ、容易に行える。
【００１８】
本発明の請求項５記載の光接続部品によれば、接続器本体や蓋部材に採用した樹脂材質が寸法精度を維持しやすい優れた成形性を有しているため、生産性に優れたプラスチック成形のプロセスを利用して、生産性の向上、コストの低減を図ることができる。
【００１９】
本発明の請求項６記載の光コネクタによれば、高密度実装、低損失の光コネクタの組立性が向上し、現場等でのコネクタの組み立ても容易になる。
【発明を実施するための最良の形態】
【００２０】
以下、本発明に係る光ファイバ位置決め方法及び光接続部品の好適な実施の形態について、図面を参照して詳細に説明する。
図１〜図８は本発明の一実施の形態を示したもので、図１は本発明に係る光ファイバ位置決め方法によって光ファイバを位置決めする光接続部品の一実施の形態の分解平面図、図２は図１のＡ−Ａ線に沿う断面図、図３は図１の矢視Ｂ方向から見た接続器本体及び蓋部材の後面図、図４は図１の矢視Ｃ方向から見た接続器本体の前面図、図５（ａ）は、図４に示した接続器本体におけるファイバ孔の拡大図、図５（ｂ）は従来の多心コネクタフェルール等におけるファイバ孔配列ピッチの対応図、図５（ｃ）は本発明に係る接続器本体のファイバ孔の他の配列例の説明図、図６は図１の矢視Ｄ方向から見た蓋部材の前面図、図７は図２に示した接続器本体に蓋部材を装着した状態を示す縦断面図で、（ａ）は蓋部材が初期位置にあって光ファイバが位置決め前の状態の断面図、（ｂ）は蓋部材が移動完了して光ファイバが位置決めされた状態の断面図、図８は図７（ｂ）のＥ−Ｅ線に沿う断面図である。
【００２１】
この一実施の形態の光接続部品１は、図１〜図３に示すように、エポキシ樹脂又はポリフェニレンサルファイド樹脂の射出成形で形成された接続器本体３と、該接続器本体３に装着される蓋部材５とから構成されている。
この光接続部品１は、光コネクタの構成部品となる光コネクタフェルールで、光コネクタ内において光ファイバの位置決め保持部として機能する。
【００２２】
接続器本体３は、所謂フェルール本体として機能する部品で、複数本の光ファイバ７を案内するガイド部１１と、このガイド部１１と繋がり光ファイバ７の先端を挿入するファイバ孔１３とを有する。なお、ガイド部１１は、接続器本体３の端部からガイド部１１に光ファイバ７を誘導する導入孔１５を含む。そして、この接続器本体３は、ガイド部１１に誘導された光ファイバ７を幅方向に位置規制する溝１７を有している。
【００２３】
接続器本体３の先端面に開口するファイバ孔１３は、図５（ａ）に示すように、一本の光ファイバを位置決めする単位孔１３ａが、規定本数分だけ隣接配置され、且つ、狭ピッチの位置決めを可能にするために、隣接する単位孔１３ａ同士が略外接状態で、一部を連通した形態で形成されている。
このファイバ孔１３の単位孔１３ａは、狭ピッチ光ファイバテープに採用されている被覆外径が０．１２５ｍｍの光ファイバを被覆付きのまま収容することができるもので、各単位孔１３ａに収容された光ファイバ相互の配列ピッチが、狭ピッチ光ファイバテープと同様に０．１２５ｍｍピッチ（図５（ａ）の寸法Ｌ１）となるように、単位孔１３ａ相互間のピッチが設定されている。また、本実施の形態の場合、ファイバ孔１３として連設される単位孔１３ａは１７個で、コネクタ中心線ｃ１に対して左右対象に設けられている。
【００２４】
図５（ａ）に示す単位孔１３ａの配列は、例えば、コネクタ中心線ｃ１に位置する単位孔１３ａの両側に、それぞれ８個ずつ単位孔１３ａを連設した構造で、例えば、図示のように１個置きの配列ｐ１，ｐ２，……，ｐ８は、図５（ｂ）に示すように、０．１２５ｍｍ径のファイバ孔１３ａを０．２５ｍｍピッチ（図５（ｂ）の寸法Ｌ２）で８個配列した従来の光コネクタフェルールの配列と互換性を持つ。よって、接続器本体３は、既存の光コネクタフェルールとして兼用することもできる。
【００２５】
なお、ファイバ孔１３を構成する単位孔１３ａの設備数は、図５（ａ）の形態に限らない。例えば、図５（ｃ）に示すように、コネクタ中心線ｃ１に対して左右それぞれに８連ずつ、２つのファイバ孔１３群に分けて設けるようにしても良い。
【００２６】
接続器本体３の前端面には、相手側のコネクタフェルールと突き合わせ整合させる際に、相手側のコネクタフェルールに突設されたガイドピンが嵌入する整合孔２１が設けられている。
【００２７】
また、図２に示すように、導入孔１５を含むガイド部１１の、光ファイバ７を挿入する側の角部１１ａ，１５ａは、挿入する光ファイバ７が引っ掛からないように、面取りされてテーパ面となっている。
【００２８】
また、接続器本体３の溝１７は、図８にも示すように、ガイド部１１を底面として上方に開放した溝で、その両側に規定本数の光ファイバ７を所定ピッチで溝１７の底面中央に幅寄せして整列させる案内斜面１７ａが設けられている。
本実施の形態の場合、溝１７は、挿入する光ファイバの軸線方向に沿って、ガイド部１１を上方に開放するように装備されていて、溝１７の底部が、ガイド部１１の底部を兼用する構造となっている。
また、本実施の形態の場合、溝１７の案内斜面１７ａはガイド部１１の両側に装備されている。導入孔１５の両側面に相当する部位は、本実施の形態では、垂直な溝側面１７ｂとなっている。
【００２９】
蓋部材５は、接続器本体３の溝１７の上方から溝１７に嵌合装着されて、光ファイバ７を溝１７の底面に向けて押圧する。
この蓋部材５は、図２、図３及び図６に示すように、溝１７の底面に光ファイバ７を押し付けた時に案内斜面１７ａへ接触する傾斜面５ａが前半部分の両側に設けられると共に、溝１７の垂直な溝側面１７ｂへ摺動可能に接触する垂直面５ｂが、後半部分の両側に装備されている。
【００３０】
蓋部材５は、傾斜面５ａ及び垂直面５ｂを、溝１７の案内斜面１７ａ及び溝側面１７ｂに当接させた状態で、光ファイバ７の挿入方向に沿って移動自在に、溝１７に嵌合する。そして、蓋部材５の後端上部の両側には、位置決め用突起５ｃが幅方向に突出して装備されている。
この位置決め用突起５ｃは、接続器本体３の後端部の対応位置に形成された段差の当接面１７ｃに当接することで、蓋部材５の前方側への移動を拘束する。
【００３１】
また、蓋部材５は、図７（ｂ）に示すように、光ファイバ７の軸線方向に沿う長さ寸法Ｌ３が、溝１７の光ファイバ７の軸線方向に沿う長さ寸法Ｌ４よりも小さく設定されている。これにより、蓋部材５を溝１７に装着したとき、溝１７の前端部と蓋部材５の前端部との間に、溝１７を視認可能にする長さＬ５の開放部（隙間）３１が形成される。
【００３２】
以上の光接続部品１において、接続器本体３のファイバ孔１３の前端に光ファイバ７の前端が揃うように光ファイバ７を位置決めする手順を、次に説明する。
まず、光ファイバ７の先端部は被覆を付けたままの状態で、図７（ａ）に示すように、導入孔１５を通過させてガイド部１１に挿入する。次いで、図示のように、溝１７に蓋部材５を嵌め合わせた係止状態にして、ガイド部１１上に位置した光ファイバ７を溝１７の底面となっているガイド部１１に押さえ付ける工程を行う。これにより、ガイド部１１に挿入されていた光ファイバ７は、図８に示すように、ガイド部１１に整列配置された状態に押さえられる。
【００３３】
次いで、図７（ｂ）に示すように、蓋部材５と共に光ファイバ７を溝１７に沿って移動して、光ファイバ７をファイバ孔１３に挿入する工程を実施する。
蓋部材５は、位置決め用突起５ｃが当接面１７ｃに当接すると、それ以上は前方に移動できなくなる。そのため、光ファイバ７の先端がファイバ孔１３の先端に到達する前に、位置決め用突起５ｃが当接面１７ｃに当接した場合には、蓋部材５だけを後方にスライドさせて、再び、蓋部材５と光ファイバ７を一緒に前方に送る操作を繰り返す。
【００３４】
次いで、光ファイバ７の先端がファイバ孔１３の先端まで到達したら、図７（ｂ）に示すように、蓋部材５の位置決め用突起５ｃが当接面１７ｃに当接していることを確認して、蓋部材５を接続器本体３に係止する工程行う。蓋部材５を接続器本体３に係止する工程は、例えば、市販のばねクランプ又はクリップ等で蓋部材５を接続器本体３に押圧固定する処理工程である。
【００３５】
次いで、開放部３１に、屈折率整合剤を兼ねた接着剤を注入・充填して、接着剤が硬化するまで待ち、接着剤が硬化したらクランプ等の余分な係止手段を取り外して、光ファイバ７の位置決め完了となる。
光ファイバ７の位置決めが完了した光接続部品１は、光コネクタフェルールとして、光コネクタ等に組み込んで使用される。
【００３６】
以上に説明したように、本発明の光ファイバ位置決め方法は、上記一実施の形態の光接続部品１を使用することによって実施できる。
そして、本発明の光ファイバ位置決め方法により多心の光ファイバ７を位置決めする光接続部品１では、接続器本体３のガイド部１１に多心の光ファイバ７を挿入した後、ガイド部１１の途中に装備した溝１７に蓋部材５を装着することによって、挿入した多心の光ファイバ７を溝１７の底面に一列に所定の配列ピッチで整列させることができ、蓋部材５と共に光ファイバ７を前方のファイバ孔１３に送ることによって、各光ファイバ７をファイバ孔１３に挿入して位置決めした状態にすることができる。
即ち、光接続部品１が、接続器本体３と蓋部材５との２部品によって構成される簡単な構成でありながら、多心の光ファイバ７を正確に位置決めでき、光接続部品１がコンパクトなため、現場等での光ファイバ７の位置決め等にも有用である。
【００３７】
また、複数のファイバ孔１３を、図５（ａ）に示したように、孔相互が略外接状態に連続する形態に形成しておくことで、複数本の光ファイバ７を狭ピッチで高密度に位置決めすることができるため、狭ピッチ光ファイバ７テープを光接続部品１に接続する場合にも適用できる。
そして、ファイバ孔１３の内径を光ファイバ７の被覆径に相応して設定しておけば、光ファイバ７を被覆付きのまま装着することができる。この場合には、光ファイバ７を切断処理した際に形成される鋭利なファイバエッジが被覆で覆われているため、光ファイバ７挿入の際に、ファイバ孔１３の内面がファイバエッジによって削られて削りカスを発生することが防止でき、削りカスが光ファイバ７のコアに付着して伝送ロスの増大を招くことを防止することができる。
また、光ファイバ７を被覆付きのまま位置決めする場合には、光ファイバ７相互の接続処理をする作業者が、光ファイバ７の先端のファイバエッジで手指等を負傷する虞がなくなり、作業の安全性も確保される。
【００３８】
また、ファイバ孔１３の配列ピッチを、例えば、図５（ａ）に示したように従来の配列ピッチの２分の１の狭ピッチに配列すれば、１個おきの配列ピッチは従来の光コネクタフェルール等における配列ピッチと同等になり、従来のコネクタとの互換性を保つこともできる。
【００３９】
また、本実施の形態の光接続部品１では、溝１７に導入された複数本の光ファイバ７は、その上から溝１７に嵌合装着される蓋部材５によって、溝１７の底面に押さえ付けられると同時に、溝１７の両側に装備された案内斜面１７ａによって底部の中央の一定幅内に案内されて、速やかに整列されることができるため、作業性が向上する。
【００４０】
また、本実施の形態の光接続部品１では、接続器本体３の溝１７に導入された光ファイバ７は、その上方を覆う蓋部材５によって完全に覆われることがなく、溝１７への光ファイバ７の導入状態を視認できる開放部３１を有することから、目視によって確認しながら光ファイバ７の挿入作業を実施でき、光ファイバ７の溝１７への挿入作業が確実、かつ、容易になる。
【００４１】
また、本実施の形態の光接続部品１では、接続器本体３や蓋部材５に採用した樹脂材質が寸法精度を維持しやすい優れた成形性を有しているため、生産性に優れたプラスチック成形のプロセスを利用して、生産性の向上、コストの低減を図ることができる。
【００４２】
そして、光コネクタにおいて、収容する光ファイバの位置決め保持部として上記光接続部品１を採用すれば、高密度実装、低損失の光コネクタの組立性が向上し、現場等でのコネクタ組み立ても容易になる。
【図面の簡単な説明】
【００４３】
【図１】本発明に係る光接続部品の一実施の形態の分解平面図である。
【図２】図１のＡ−Ａ線に沿う断面図である。
【図３】図１の矢視Ｂ方向から見た接続器本体及び蓋部材の後面図である。
【図４】図１の矢視Ｃ方向から見た接続器本体の前面図である。
【図５】（ａ）は、図４に示した接続器本体におけるファイバ孔の拡大図、（ｂ）は従来の多心コネクタフェルール等におけるファイバ孔配列ピッチの対応図、（ｃ）は本発明に係る接続器本体のファイバ孔の他の配列例の説明図である。
【図６】図１の矢視Ｄ方向から見た蓋部材の前面図である。
【図７】図２に示した接続器本体に蓋部材を装着した状態を示す縦断面図で、（ａ）は蓋部材が光ファイバを位置決め前の状態の断面図、（ｂ）は蓋部材が光ファイバを位置決めした状態の断面図である。
【図８】図７（ｂ）のＥ−Ｅ線に沿う断面図である。
【符号の説明】
【００４４】
１  光接続部品
３  接続器本体
５  蓋部材
５ａ  傾斜面
５ｂ  垂直面
５ｃ  位置決め用突起
７  光ファイバ
１１  ガイド部
１３  ファイバ孔
１５  導入孔
１７  溝
１７ａ  案内斜面
１７ｂ  溝側面
１７ｃ  当接面
３１  開放部（隙間）
【図１】
2006163210.tif 000003
【図２】
2006163210.tif 000004
【図３】
2006163210.tif 000005
【図４】
2006163210.tif 000006
【図５】
2006163210.tif 000007
【図６】
2006163210.tif 000008
【図７】
2006163210.tif 000009
【図８】
2006163210.tif 000010